(57)【特許請求の範囲】
【請求項１】
パチンコ遊技機やパチスロ遊技機等の遊技機を制御する制御基板を収容して、該遊技機内部に設置される遊技機用基板ケースであって、
前記制御基板を収容する基板収容部が設けられたケース本体と、該基板収容部に該制御基板を収容した状態で該ケース本体に組み付けられて密封構造とするカバー体と、該ケース本体に対する該カバー体の組付け状態を保持するロック機構とを備え、
前記ロック機構は、雄螺子部が少なくとも中間範囲に形成され且つ前記ケース本体側にて支持される螺子部材と、該雄螺子部に対応する雌螺子部がボックス内に形成された螺子受けボックスと、前記カバー体に一体的に設けられた係合フック部とを備え、
前記螺子部材は、基端側に該螺子部材を螺子回しするための操作部が設けられ、且つ先端側に前進螺子回し一杯状態で前記係合フック部と係合し該カバー体の前記ケース本体に対する組付け状態を保持する係合端部が設けられており、
前記螺子受けボックスは、前記ケース本体に一体的に設けられたボックス本体と、該ボックス本体の開口個所を閉塞するように該ボックス本体に対して組み付けられる蓋状部材とを備え、
前記螺子部材の少なくとも中間範囲に形成された前記雄螺子部と、前記螺子受けボックスのボックス内に形成された前記雌螺子部とは、前記螺子部材の前進螺子回しのみを許可し、且つ該螺子部材の後退螺子回しを規制するように構成されており、
前記ケース本体、前記カバー体、および前記ロック機構は、合成樹脂にて形成されており、
前記係合フック部は、前記螺子部材の前進方向に複数並べられて前記カバー体から切取り可能に設けられており、
前記係合端部が係合している状態の前記係合フック部は、前記カバー体から切り取られることによって、該係合端部の係合を解除して前記ケース本体に対する前記カバー体の組付け状態の保持を解除するとともに、前記螺子部材の新たな前進螺子回しも可能とするようになっており、
前記螺子部材の前記係合端部は、該螺子部材の新たな前進螺子回しによって該螺子部材が新たに前進螺子回し一杯状態となった場合に、複数並べられて設けられる新たな前記係合フック部に対して係合して前記ケース本体に対する前記カバー体の組付け状態を新たに保持することを特徴とする遊技機用基板ケース。
【請求項２】
請求項１に記載の遊技機用基板ケースにおいて、
前記雄螺子部または前記雌螺子部の何れか一方には、螺子山から突出する爪部が設けられており、
前記雄螺子部または前記雌螺子部の何れか他方には、前記螺子部材を螺子回しすることにより前記爪部が当接するカエシ部が設けられており、
前記螺子部材を前進螺子回しして前記爪部を前記カエシ部に当接させた場合には、前記爪部は前記カエシ部に対して弾性的に没するように移動して該カエシ部を乗り越え、前記螺子部材の前進螺子回しを許可するようになっており、
前記螺子部材を後退螺子回しして前記爪部を前記カエシ部に当接させた場合には、前記爪部は前記カエシ部に対して当接したままとなる突出状態を維持し、前記螺子部材の後退螺子回しを規制するようになっていることを特徴とする遊技機用基板ケース。
【請求項３】
請求項２に記載の遊技機用基板ケースにおいて、
前記爪部は、前記雄螺子部に対して揺動可能に一体化状態で形成されており、
前記カエシ部は、前記雌螺子部に対して固定された一体化状態で形成されていることを特徴とする遊技機用基板ケース。
【請求項４】
請求項１から請求項３の何れかに記載の遊技機用基板ケースにおいて、
前記ロック機構は、１セットだけを前記ケース本体の長手方向の側部に沿って設けられていることを特徴とする遊技機用基板ケース。
【請求項５】
請求項１から請求項４の何れかに記載の遊技機用基板ケースにおいて、
前記螺子部材の前記操作部は、先端側が前記雄螺子部の基端側と一体的に連結される首部と、該首部の基端側にツマミ形状を有して該首部と一体的に成形される操作部本体とを備え、
前記首部は、前記螺子部材を後退螺子回しした場合に、前記雄螺子部と前記雌螺子部とによる該螺子部材の後退螺子回しの規制を受けて、前記雄螺子部に対する連結が解除されるようになっていることを特徴とする遊技機基板ケース。
【発明の詳細な説明】
【技術分野】
【０００１】
本発明は、パチンコ遊技機やパチスロ遊技機等の遊技機を制御する制御基板を収容して、遊技機内部に設置される遊技機用基板ケースに関する。
【背景技術】
【０００２】
パチンコ遊技機やパチスロ遊技機等の遊技機にあっては、遊技機内部に制御基板が設置されている。この制御基板は、遊技に関する各種の制御処理を行うために設置されるものであり、例えば、大当り等に関しての各種の制御処理を行うメイン制御基板、賞球払出し等に関しての払出し制御処理を行う払出し制御基板、電飾等に関してのランプ制御処理を行うランプ制御基板、発射装置の遊技球発射制御処理を行う遊技球発射制御基板等がある。このような制御基板の中には、法定によって交換あるいは操作等の不正行為（ゴト行為）を規制するように要請されるものがある。このため、このように要請される制御基板は、第三者に開けられてしまうのを防止する基板ケースに収容され、このような不正行為を規制するようにしている。
【０００３】
ところで、上記したように制御基板を収容する基板ケースにあっては、第三者に開けられてしまうのを防止するために、この基板ケースの開き個所をカシメたり或いは熱圧着したりして、強固に閉じられたものが知られている。しかしながら、カシメる例にあっては新たなカシメ部品を用意して開けた後に再びカシメたり、熱圧着する例にあっては開けた後に専用工具を用いて再び熱圧着したりして、開けた後に閉じることが再現し易いものとなっており、上記した不正行為を規制する上での問題点があった。
そこで、このような問題点に対して閉じることの再現を難しくするように、螺子部材が配設されて構成される基板ケースが知られている（例えば、特許文献１および特許文献２参照）。
【０００４】
特許文献１および特許文献２にて開示される基板ケースの螺子部材は、一度螺子締結させると、弛める方向への螺子回しが不能となるように構成されている。このため、不正行為者が基板ケースを開けるには、少なくとも封緘されている個所を破壊しなければならず、基板ケースが開けられてしまった場合には、破壊された痕跡が残されるようになっている。そうすると、基板ケースが開けられた痕跡から、管理者は、制御基板に対して不正行為があったのではないかと直ぐに判別できることとなる。
【先行技術文献】
【特許文献】
【０００５】
【特許文献１】特許第３２６１０８４号
【特許文献２】特開２００５−２１８４６８
【発明の概要】
【発明が解決しようとする課題】
【０００６】
しかしながら、上記した基板ケースの螺子部材は、弛める方向への螺子回しを規制する構成を、外部に露出した螺子部材の螺子頭に形成したものとしているので、不正行為者の何らかの工夫によって、弛める方向に対しての螺子回しされてしまうことも考えられる。このため、上記した特許文献にて開示される基板ケースにあっては、不正行為に対する防犯性が未だに脆弱であるとの指摘がある。
【０００７】
本発明は、このような事情に鑑みなされたものであって、本発明が解決しようとする課題は、パチンコ遊技機やパチスロ遊技機等の遊技機を制御する制御基板を収容し、該遊技機内部に設置される遊技機用基板ケースにおいて、弛める方向への螺子回しを不能とするにあたっての構造を外部に露出することの無い内部に形成することによって、不正行為に対しての防犯性をより高めることにある。
【課題を解決するための手段】
【０００８】
上記した課題を解決するにあたって本発明に係る遊技機用基板ケースは、次の手段を採用する。
すなわち、本発明の第１の発明に係る遊技機用基板ケースは、パチンコ遊技機やパチスロ遊技機等の遊技機を制御する制御基板を収容して、該遊技機内部に設置される遊技機用基板ケースであって、前記制御基板を収容する基板収容部が設けられたケース本体と、該基板収容部に該制御基板を収容した状態で該ケース本体に組み付けられて密封構造とするカバー体と、該ケース本体に対する該カバー体の組付け状態を保持するロック機構とを備え、前記ロック機構は、雄螺子部が少なくとも中間範囲に形成され且つ前記ケース本体側にて支持される螺子部材と、該雄螺子部に対応する雌螺子部がボックス内に形成された螺子受けボックスと、前記カバー体に一体的に設けられた係合フック部とを備え、前記螺子部材は、基端側に該螺子部材を螺子回しするための操作部が設けられ、且つ先端側に前進螺子回し一杯状態で前記係合フック部と係合し該カバー体の前記ケース本体に対する組付け状態を保持する係合端部が設けられており、前記螺子受けボックスは、前記ケース本体に一体的に設けられたボックス本体と、該ボックス本体の開口個所を閉塞するように該ボックス本体に対して組み付けられる蓋状部材とを備え、前記螺子部材の少なくとも中間範囲に形成された前記雄螺子部と、前記螺子受けボックスのボックス内に形成された前記雌螺子部とは、前記螺子部材の前進螺子回しのみを許可し、且つ該螺子部材の後退螺子回しを規制するように構成されていることを特徴とする。
【０００９】
この遊技機用基板ケースによれば、ケース本体に対するカバー体の組付け状態を保持するロック機構は、螺子部材と螺子受けボックスとを備え、螺子部材の少なくとも中間範囲に形成された雄螺子部と螺子受けボックスのボックス内に形成された雌螺子部とは、閉塞状態にある螺子受けボックスのボックス内にて螺子部材の後退螺子回しを規制することとなるので、弛める方向への螺子回しを不能とするにあたっての構造は、外部に露出していない閉塞されたボックスの内部にて設けられたものとなる。
これによって、不正行為を行おうとする者が、弛める方向に螺子回ししようとしても、雄螺子部と雌螺子部が螺合している部分に手のかけれないものとすることができ、不正行為に対する防犯性をより高めることができる。
【００１０】
第２の発明に係る遊技機用基板ケースは、前記第１の発明に係る遊技機用基板ケースにおいて、前記ケース本体、前記カバー体、および前記ロック機構は、合成樹脂にて形成されており、前記係合フック部は、前記螺子部材の前進方向に複数並べられて前記カバー体から切取り可能に設けられており、前記係合端部が係合している状態の前記係合フック部は、前記カバー体から切り取られることによって、該係合端部の係合を解除して前記ケース本体に対する前記カバー体の組付け状態の保持を解除するとともに、前記螺子部材の新たな前進螺子回しも可能とするようになっており、前記螺子部材の前記係合端部は、該螺子部材の新たな前進螺子回しによって該螺子部材が新たに前進螺子回し一杯状態となった場合に、複数並べられて設けられる新たな前記係合フック部に対して係合して前記ケース本体に対する前記カバー体の組付け状態を新たに保持することを特徴とする。
【００１１】
この遊技機用基板ケースによれば、管理者が遊技機用基板ケースの内部を確認しようと遊技機用基板ケースを開けたい場合には、係合フック部をカバー体から切り取ることによって係合端部の係合を解除し、ケース本体に対するカバー体の組付け状態の保持を解除することにより行う。これに対し、管理者が遊技機用基板ケースの内部を確認した後に遊技機用基板ケースを再び閉じる場合には、螺子部材の新たな前進螺子回しによって螺子部材が新たに前進螺子回し一杯状態とすることにより行う。すなわち、螺子部材が新たに前進螺子回し一杯状態となった場合には、複数並べられて設けられる新たな係合フック部に対して新たに螺子部材の係合端部が係合して、ケース本体に対するカバー体の組付け状態を新たに保持する。これによって、管理者は、内部を確認した後に開けた遊技機用基板ケースを再び閉じることができる。もって、この遊技機用基板ケースによれば、管理者は、内部を確認するために、複数回に亘って簡単に遊技機用基板ケースを開け閉めすることができる。
また、この遊技機用基板ケースによれば、ケース本体、カバー体、およびロック機構は、合成樹脂にて形成されているので、遊技機用基板ケースを廃棄する際には、溶解処理してリサイクルすることができることとなり、リサイクル性の観点から有利なものとなる。
【００１２】
第３の発明に係る遊技機用基板ケースは、前記第１の発明または前記第２の発明に係る遊技機用基板ケースにおいて、前記雄螺子部または前記雌螺子部の何れか一方には、螺子山から突出する爪部が設けられており、前記雄螺子部または前記雌螺子部の何れか他方には、前記螺子部材を螺子回しすることにより前記爪部が当接するカエシ部が設けられており、前記螺子部材を前進螺子回しして前記爪部を前記カエシ部に当接させた場合には、前記爪部は前記カエシ部に対して弾性的に没するように移動して該カエシ部を乗り越え、前記螺子部材の前進螺子回しを許可するようになっており、前記螺子部材を後退螺子回しして前記爪部を前記カエシ部に当接させた場合には、前記爪部は前記カエシ部に対して当接したままとなる突出状態を維持し、前記螺子部材の後退螺子回しを規制するようになっていることを特徴とする。
【００１３】
この遊技機用基板ケースによれば、螺子部材を前進螺子回しさせた場合には、カエシ部に当接した爪部は、カエシ部に対して弾性的に没するように移動してカエシ部を乗り越え、螺子部材の前進螺子回しを許可することとなる。これに対して、螺子部材を後退螺子回しした場合には、カエシ部に当接した爪部は、カエシ部に対して当接したままとなる突出状態を維持し、螺子部材の後退螺子回しを規制することとなる。
これによって、螺子部材は、先端側に配設された係合端部をカバー体の係合フック部に係合させようと前進螺子回しすることはできるが、この係合を解除しようと後退螺子回しすることはできないものとなる。したがって、螺子部材は、一度締結させると弛める方向への螺子回しが不能となるので、この遊技機用基板ケースを開けるには少なくとも封緘されている個所を破壊することを要することとなる。もって、管理者は、遊技機用基板ケースを開けた痕跡から、不正行為があった事を直ぐに判別することができるようになる。
【００１４】
第４の発明に係る遊技機用基板ケースは、前記第３の発明に係る遊技機用基板ケースにおいて、前記爪部は、前記雄螺子部に対して揺動可能に一体化状態で形成されており、前記カエシ部は、前記雌螺子部に対して固定された一体化状態で形成されていることを特徴とする。
この遊技機用基板ケースによれば、爪部は雄螺子部に対して揺動可能に一体化状態で形成されており、カエシ部は雌螺子部に対して固定された一体化状態で形成されているので、爪部は雄螺子部の一体成形により製造でき、カエシ部は雌螺子部の一体成形により製造でき、製造上において有利となる。
【００１５】
第５の発明に係る遊技機用基板ケースは、前記第１の発明から前記第４の発明の何れかに係る遊技機用基板ケースにおいて、前記ロック機構は、１セットだけをケース本体の長手方向の側部に沿って設けられていることを特徴とする。
この遊技機用基板ケースによれば、ロック機構は１セットだけを前記ケース本体の長手方向の側部に沿って設けられているので、上記した螺子部材および螺子受けボックスに関して、前進後退方向の長さを最長化させて設計することができる。これによって、螺子部材の少なくとも中間範囲に形成される雄螺子部と、螺子受けボックスのボックス内に形成される雌螺子部とを最長化させて設計することができるので、このロック機構としての機能を、より効果的に発揮することができる。
【００１６】
第６の発明に係る遊技機用基板ケースは、前記第１の発明から前記第５の発明の何れかに係る遊技機用基板ケースにおいて、前記螺子部材の前記操作部は、先端側が前記雄螺子部の基端側と一体的に連結される首部と、該首部の基端側にツマミ形状を有して該首部と一体的に成形される操作部本体とを備え、前記首部は、前記螺子部材を後退螺子回しした場合に、前記雄螺子部と前記雌螺子部とによる該螺子部材の後退螺子回しの規制を受けて、前記雄螺子部に対する連結が解除されるようになっていることを特徴とする。
この遊技機用基板ケースによれば、螺子部材を後退螺子回しした場合に、雄螺子部と雌螺子部とによる螺子部材の後退螺子回しの規制を受けて、首部は雄螺子部に対する連結が解除されるようになっているので、この首部と一体的に成形される操作部本体も雄螺子部から外れることとなり、螺子部材の後退螺子回ししようとしても後退螺子回しすることができなくなる。これによって、不正行為を行おうとする者が、螺子部材を弛める方向に螺子回ししようとしても、操作部が外れてしまって螺子回しすることができず、不正行為に対しての防犯性をより高めることができる。
【発明の効果】
【００１７】
第１の発明に係る遊技機用基板ケースによれば、不正行為を行おうとする者が、弛める方向に螺子回ししようとしても、雄螺子部と雌螺子部が螺合している部分に手をかけることができず、不正行為に対する防犯性をより高めることができる。
第２の発明に係る遊技機用基板ケースによれば、複数回に亘って管理者は簡単に開け閉めを行うことができ、さらにリサイクル性の観点から有利なものとなる。
第３の発明に係る遊技機用基板ケースによれば、管理者は、ケースを開けた痕跡から不正行為があった事を直ぐに判別することができるようになる。
第４の発明に係る遊技機用基板ケースによれば、爪部は雄螺子部の一体成形により製造でき、カエシ部は雌螺子部の一体成形により製造でき、製造上において有利となる。
第５の発明に係る遊技機用基板ケースによれば、螺子部材の少なくとも中間範囲に形成される雄螺子部と、螺子受けボックスのボックス内に形成される雌螺子部とを最長化させて設計することができるので、このロック機構としての機能を、より効果的に発揮することができる。
第６の発明に係る遊技機用基板ケースによれば、不正行為を行おうとする者が、螺子部材を弛める方向に螺子回ししようとしても、操作部が外れてしまって螺子回しすることができず、不正行為に対しての防犯性をより高めることができる。
【図面の簡単な説明】
【００１８】
【図１】遊技機用基板ケースを示す斜視図である。
【図２】図１に示す遊技機用基板ケースの分解状態を示す分解斜視図である。
【図３】ケース本体に対してカバー体を組み付けていく状態を示す斜視図である。
【図４】図１に示す遊技機用基板ケースの上面図である。
【図５】図１におけるＶ−Ｖ断面矢視を示す遊技機用基板ケースの断面図である。
【図６】図１におけるＶＩ−ＶＩ断面矢視を示す遊技機用基板ケースの断面図である。
【図７】図１におけるＶＩＩ−ＶＩＩ断面矢視を示す遊技機用基板ケースの断面図である。
【図８】第１段階の係合状態にあるロックスクリューを示す斜視図である。
【図９】第２段階の係合状態にあるロックスクリューを示す斜視図である。
【図１０】図９に示す第２段階の係合状態にあるロックスクリューの断面視を示す断面図である。
【発明を実施するための形態】
【００１９】
以下、本発明を実施するための実施の形態について、図面を参照しながら説明する。
図１は、遊技機用基板ケース１０を示す斜視図である。図２は、図１に示す遊技機用基板ケース１０の分解状態を示す分解斜視図である。図３は、ケース本体２０に対してカバー体３０を組み付けていく状態を示す斜視図である。図４は、図１に示す遊技機用基板ケース１０の上面図である。なお、図１および図４については、ロックスクリュー５０が前進螺子回し一杯状態の図となっている。また、以下においては、図示の遊技機用基板ケースを説明するための便宜において、図示の遊技機用基板ケースに関して上下前後左右の方向付けをしている。
遊技機用基板ケース１０は、パチンコ遊技機やパチスロ遊技機等の遊技機の内部に設置されるものであり、この遊技機の遊技に関する制御を行う制御基板を収容するものである。遊技機用基板ケース１０は、図１および図２に示すように、概略、ケース本体２０と、このケース本体２０に組み付けられるカバー体３０と、ケース本体２０に対するカバー体３０の組付け状態を保持するロック機構４０とを備えて構成される。
なお、これらケース本体２０、カバー体３０、およびロック機構４０は、耐久性や耐衝撃性等に優れた例えばポリカーボネート等の合成樹脂のみで形成されている。
【００２０】
ケース本体２０は、図２および図３に示すように、後に説明するカバー体３０が組み付けられることにより、制御基板（不図示）を収容するための密封された筐体構造をなす。なお、この制御基板としては、法定によって交換あるいは操作等の不正行為（ゴト行為）を規制するように要請されるものであり、例えば、大当り等に関しての各種の制御処理を行うメイン制御基板や、賞球払出し等に関しての払出し制御処理を行う払出し制御基板等が挙げられる。すなわち、ケース本体２０には、図２に示すように、制御基板（不図示）を収容する基板収容部２１が設けられており、この基板収容部２１に制御基板を収容した状態でカバー体３０をスライドさせてケース本体２０に組み付けるようになっている。
具体的には、ケース本体２０は、カバー体３０をスライドさせて組み付けるにあたって、上下前後左右６つの側面のうち、隣接する２面を開口形状にて形成される。すなわち、ケース本体２０は、図示上面および図示後面を切り欠くようにされた開口形状にて形成される。また、ケース本体２０には、カバー体３０を組付け状態とするための、カバー体３０の嵌合部３１が嵌合する嵌合孔２２が形成されている。この嵌合孔２２は、ケース本体２０の図示左右の略４隅にそれぞれ設けられ、カバー体３０の嵌合部３１に対応している。なお、このケース本体２０にあっては、後述のロック機構４０において詳しく説明するが、ケース本体２０の図示前側において、ロック機構４０の一部を構成するボックス本体６１を含めたスクリュー収納部２５が、ケース本体２０と一体的に形成されている。
【００２１】
これに対しカバー体３０は、制御基板（不図示）を収容した状態で、ケース本体２０の図示上面と図示後面とを閉塞するように、スライドさせてケース本体２０に対して組み付けられる。このカバー体３０は、上下前後左右６つの側面のうち、図示下面を切り欠くようにされた開口形状を有して形成されている。カバー体３０は、上記したケース本体２０の嵌合孔２２に嵌合される嵌合部３１が、図示左右の略４隅にそれぞれ設けられている。なお、後述のロック機構４０において詳しく説明するが、図４に示すように、カバー体３０の図示前側には、ロック機構４０の一部を構成する係合フック部３２（３２ａ，３２ｂ）が、ロックスクリュー５０の前進方向に２つ並べられるようにして、カバー体３０に一体的に成形されるようにして設けられている。この係合フック部３２（３２ａ，３２ｂ）は、ロックスクリュー５０が前進螺子回し一杯状態となっている場合に、このロックスクリュー５０の係合端部５２が係合する部分であり、カバー体３０からニッパー等の専用工具を用いて切取り可能に形成されている。
【００２２】
次に、ロック機構４０について説明する。図５は、図１におけるＶ−Ｖ断面矢視を示す遊技機用基板ケースの断面図である。図６は、図１におけるＶＩ−ＶＩ断面矢視を示す遊技機用基板ケースの断面図である。図７は、図１におけるＶＩＩ−ＶＩＩ断面矢視を示す遊技機用基板ケースの断面図である。なお、これら図５〜図７については、図１と同様にロックスクリュー５０が前進螺子回し一杯状態の図となっている。
ロック機構４０は、図１等に示すように、１セットだけをケース本体２０の長手方向の側部に沿って設けられている。このロック機構４０は、図２に示すように、上記したケース本体２０側にて支持される螺子部材としてのロックスクリュー５０と、このロックスクリュー５０を受ける螺子受けボックスとしてのスクリュー受けボックス６０と、上記したカバー体３０に一体的に設けられる係合フック部３２（３２ａ，３２ｂ）とを備えて構成されるものであり、以下、これらロックスクリュー５０、スクリュー受けボックス６０、係合フック部３２（３２ａ，３２ｂ）の詳細について説明する。
【００２３】
ロックスクリュー５０について説明する。
ロックスクリュー５０は、図２および図３に示すように、略棒螺子状にて形成されるものであり、本発明に係る螺子部材に相当する部材である。つまり、ロックスクリュー５０は、ケース本体２０に一体的に設けられるスクリュー受けボックス６０に受け入れられつつ支持されるものであり、螺子回しされることによって、ケース本体２０およびカバー体３０に対して相対的に前進あるいは後退する。ここで、ロックスクリュー５０の図示右側となる基端側には、螺子回しするための操作部５１が設けられている。これに対しロックスクリュー５０の図示左側となる先端側には、上記した係合フック部３２（３２ａ，３２ｂ）と係合する係合端部５２が設けられている。また、この操作部５１と係合端部５２との間の範囲に設定されるロックスクリュー５０の中間範囲には、雄螺子部５３が形成されている。なお、これら操作部５１、係合端部５２、雄螺子部５３は、合成樹脂としてのポリカーボネートを一体成形することにより形成されている。
【００２４】
次に、これら操作部５１、係合端部５２、雄螺子部５３について詳細に説明する。
操作部５１は、ロックスクリュー５０を操作するにあたって管理者が手で摘んで回転操作する部分である。操作部５１は、概略、雄螺子部５３と一体的に連結される首部５１ａと、この首部５１ａと一体的に成形される操作部本体５１ｂとを備えて構成される。
首部５１ａは、先端側が雄螺子部５３の基端側と一体的に連結され且つ基端側が操作部本体５１ｂの先端側と一体的に連結されるように成形されるものである。この首部５１ａは、ロックスクリュー５０を後退螺子回しした場合に、後に説明する雄螺子部５３と雌螺子部７０とによるロックスクリュー５０の後退螺子回しの規制を受けて、雄螺子部５３に対する連結が解除されるように、ポキリと折れてしまうようになっている。つまり、首部５１ａは、雄螺子部５３や操作部本体５１ｂに比して、回転に抗する応力に対して破壊され易いように形成されている。具体的には、首部５１ａの外径は、雄螺子部５３や操作部本体５１ｂの外径に比して小さくなるように設定されて成形されている。また、操作部本体５１ｂは、先端側が首部５１ａの基端側と一体的に連結されるように成形されるものであり、管理者が手で摘んで回転操作できるように、外部に露出するツマミ形状を有して形成される。
係合端部５２は、操作部５１とは反対側となる先端側に設けられるものであり、外形上は円柱端部形状にて形成されている。この係合端部５２は、図５および図６に示すように、上記したようにロックスクリュー５０を前進螺子回しし、このロックスクリュー５０の前進が一杯となる前進螺子回し一杯状態となった場合に、カバー体３０の係合フック部３２（３２ａ，３２ｂ）に対して係合する部分となっている。なお、ロックスクリュー５０は、上記したようにケース本体２０に支持されているので、このように係合端部５２が係合フック部３２（３２ａ，３２ｂ）と係合する場合には、ケース本体２０に対するカバー体３０の組付け状態は、このロックスクリュー５０にて保持されることとなる。
【００２５】
ところで、上記したロックスクリュー５０のうち、操作部５１と係合端部５２との間の範囲に設定される中間範囲には、後に説明するスクリュー受けボックス６０のボックス内に形成された雌螺子部７０に対応する雄螺子部５３が形成されている。この雄螺子部５３は、上記した操作部５１と係合端部５２とを除く範囲に螺子山が形成されることにより構成される。この雄螺子部５３の螺子山は、ロックスクリュー５０を右回しした場合に、このロックスクリュー５０がスクリュー受けボックス６０に対して前進するように形成されている。
ここで、雄螺子部５３には、揺動可能に一体化状態で形成され、螺子山から突出する爪部５７が設けられたものとなっている（図７参照）。具体的には、雄螺子部５３の中央部分には、後に説明する雌螺子部７０（７１，７５）に設けられたカエシ部７２，７６に対応した爪機構５５が設けられている。この爪機構５５は、後に説明する雌螺子部７０（７１，７５）のカエシ部７２，７６とともに、ロックスクリュー５０の前進螺子回しのみを許可し且つロックスクリュー５０の後退螺子回しを規制するように機能する部分となっている。
爪機構５５は、図７に示すように、概略、雄螺子部５３の中央部分に設けられた貫通孔５６の開口部５６ａ，５６ａから、爪部５７，５７を外方に突出させるようにして構成される。具体的には、貫通孔５６は、雄螺子部５３の周面のうち１８０度の相対位置となる一対個所に開口部５６ａ，５６ａが形成されるように、ロックスクリュー５０の径方向に貫通させるようにして形成される。そして、この雄螺子部５３の周面の１８０度の相対位置に形成された開口部５６ａ，５６ａからは、２つの爪部５７，５７の先端側を構成する係止端部５８，５８のそれぞれが外方に突出するようにして、２つの爪部５７，５７は設けられている。具体的には、図７に示すように、２つの爪部５７，５７は、基端側が貫通孔５６内の対向位置する内壁面５６ｂ，５６ｂに対して一体化状態で形成されつつ、中間個所が貫通孔５６内で右回り方向に折り曲げられるようになっており、先端側となる係止端部５８，５８が貫通孔５６の開口部５６ａ，５６ａから外方に突出するように形成されるものとなっている。つまり、係止端部５８，５８は、雄螺子部５３の周面の１８０度の相対位置から外方に突出するようになっている。なお、この２つの爪部５７，５７は、中間個所が貫通孔５６内で右回り方向に折り曲げられるようにして形成されているので、左回り方向には揺動スペースが大きく設定されたものとなっており、２つの爪部５７，５７は、揺動可能に弾性変形し易くなっている。これに対して、２つの爪部５７，５７は、右回り方向には揺動スペースが小さく設定されたものとなっており、２つの爪部５７，５７は、弾性変形し難く揺動が規制されたものとなっている。
ここで、係止端部５８，５８は、雄螺子部５３の外周面となる螺子山から外方に突出するようになっており、前進螺子回し（図１における右回し）方向に向かう側面には通過許可用テーパ面５９ａ，５９ａが形成されており、この反対側となる後退螺子回し（図１における左回し）方向に向かう側面には通過規制用当接面５９ｂ，５９ｂが形成されている。通過許可用テーパ面５９ａ，５９ａは、端部に向かうにしたがって後退螺子回し（図１における左回し）方向に傾斜する傾斜面状にて形成されている。これに対して、通過規制用当接面５９ｂ，５９ｂは、端部に向かうにしたがって傾斜することなく、ロックスクリュー５０の径方向に沿う平面状にて形成されている。なお、この係止端部５８，５８の外周面には、上記した雄螺子部５３と同様な、ロックスクリュー５０を右回しした場合にスクリュー受けボックス６０に対してロックスクリュー５０を前進させるような螺子山が形成されている。
【００２６】
次に、スクリュー受けボックス６０について説明する。
スクリュー受けボックス６０は、図１および図４に示すようにロックスクリュー５０を螺子入れた場合に、このボックス内に対して外部からの侵入を不可とするような閉塞状態となるように、ボックス状にて形成されるものである。このスクリュー受けボックス６０は、本発明に係る螺子受けボックスに相当する部材である。このスクリュー受けボックス６０は、上記したケース本体２０に一体成形されたボックス本体６１と、このボックス本体６１の開口個所６２を閉塞するようにボックス本体６１に対して組み付けられる蓋状部材６５とを備える。なお、このボックス本体６１は、ケース本体２０の図示前側において、ケース本体２０と一体的に形成されるスクリュー収納部２５の一部としてケース本体２０と一体的に形成されている。
すなわち、スクリュー収納部２５は、ケース本体２０の前側面の図示中間部から図示右側端までの個所を前側に張り出すようにして形成されるものであり、上記したロックスクリュー５０を収納するにあたって適当な大きさを有して形成されている。スクリュー収納部２５は、図２に示すように、概略、ロックスクリュー５０の螺子入れ方向に沿って、係合フック収容部２６と、ボックス本体６１と、操作保護カバー部２７とを、一体的に並べて形成されている。
【００２７】
係合フック収容部２６は、図２等に示すように、ケース本体２０に対してスライドして組み付けられるカバー体３０に設けられた係合フック部３２（３２ａ，３２ｂ）を収容する部分であり、基板収容部２１と連なるように形成されている。
ボックス本体６１は、図２等に示すように、係合フック収容部２６の図示右側に隣接して形成されるものであり、図示上側および図示左右両側が開口された略箱状にて形成されている。このボックス本体６１の図示上側には、長方形状の開口個所６２が形成されている。この開口個所６２は、次に説明する蓋状部材６５が組み付けられることにより、閉塞するようになっている。また、ボックス本体６１の開口個所６２の端縁近くのうち図示前後両側には、ボックス本体６１に蓋状部材６５を組み付けた場合に、この蓋状部材６５の掛止雄部６８，６８が引っ掛かる掛止雌部６４，６４が形成されている。また、図６に示すように、ボックス本体６１の図示左右両側には、ロックスクリュー５０を挿通するだけの円形状で開口したスクリュー挿通用開口部６３，６３が形成されている。つまり、スクリュー挿通用開口部６３，６３に挿通させたロックスクリュー５０は、このスクリュー挿通用開口部６３，６３によって図示上側への移動が規制される。
操作保護カバー部２７は、ボックス本体６１の図示右側に隣接して形成されるものであり、螺子入れ状態のロックスクリュー５０の雄螺子部５３が、何らかの道具によって掴まれ勝手に回されてしまわないように、このロックスクリュー５０の雄螺子部５３の周囲を保護するために設けられるものである。このため、この操作保護カバー部２７は、ロックスクリュー５０のうち外部に露出する雄螺子部５３を保護するように、囲い壁２７ａ，２７ｂを有して形成されている。なお、この操作保護カバー部２７（２７ａ，２７ｂ）は、後にも説明するが、このケース本体２０からニッパー等の専用工具を用いて切取り可能に形成されている。
【００２８】
蓋状部材６５は、図２等に示すように、ボックス本体６１の開口個所６２を閉塞するように、ボックス本体６１に対して組み付けられるものである。この蓋状部材６５は、側面視略コ字状に形成されるものであって、概略、蓋本体６６と、螺子入れ孔６７，６７と、掛止雄部６８，６８とを備える。
蓋本体６６は、この蓋状部材６５をボックス本体６１に組み付けた場合に、このボックス本体６１の開口個所６２を閉塞するように略平板状に形成される。この蓋本体６６は、図６に示すように、図示左右両側には螺子入れ孔６７，６７が平板交差方向に延在するとともに、図示前後両側には掛止雄部６８，６８が形成されている。
螺子入れ孔６７，６７は、この蓋状部材６５をボックス本体６１に組み付けた場合に、このボックス本体６１のスクリュー挿通用開口部６３，６３と隣接するように位置して、ロックスクリュー５０が螺子入れられるように形成される。具体的には、この螺子入れ孔６７，６７は、スクリュー挿通用開口部６３，６３と同様、ロックスクリュー５０を挿通するだけの円形状に開口して形成される。また、この螺子入れ孔６７，６７の内周面には、ロックスクリュー５０の雄螺子部５３が螺子止めされるように、次に説明する雌螺子部７０（７１，７５）と連なる雌螺子形状が形成されている。このため、この蓋状部材６５をボックス本体６１に組み付けた状態で、ロックスクリュー５０を螺子入れ孔６７，６７に螺子入れていると、蓋状部材６５は、ケース本体２０にて支持されるロックスクリュー５０によって支持されることとなる。具体的には、ロックスクリュー５０は、挿通したスクリュー挿通用開口部６３，６３によって図示上側への移動が規制され、蓋状部材６５も、このように移動が規制されるロックスクリュー５０によって図示上側の移動が規制されることとなる。つまり、蓋状部材６５は、スクリュー挿通用開口部６３，６３に挿通されたロックスクリュー５０を介することによって所謂「閂構造」として機能させ、ボックス本体６１（ケース本体２０）に対して確実に組み付けられる。
掛止雄部６８，６８は、図示のようにフック状に形成され、蓋状部材６５をボックス本体６１に組み付けた場合に、ボックス本体６１の掛止雌部６４，６４に引っ掛かるものである。
【００２９】
次に、上記したようにロックスクリュー５０に形成された雄螺子部５３に対応して、スクリュー受けボックス６０のボックス内に形成される雌螺子部７０（７１，７５）について説明する。
このスクリュー受けボックス６０のボックス内には、上記したロックスクリュー５０に形成される雄螺子部５３に対応した雌螺子部７０（７１，７５）が形成されている。すなわち、図６および図７に示すように、スクリュー受けボックス６０のボックス内には、上記したボックス本体６１の下側内面に第１雌螺子部７１が設けられており、蓋状部材６５の上側内面に第２雌螺子部７５が設けられている。これら第１雌螺子部７１および第２雌螺子部７５は、蓋状部材６５をボックス本体６１に組み付けた場合に、互いに対向するように設けられるものである。
ここで、雌螺子部７０には、この雌螺子部７０（７１，７５）に対して固定された一体化状態で形成され、ロックスクリュー５０を螺子回しすることにより爪部５７が当接するカエシ部７２，７６が設けられている。具体的には、第１雌螺子部７１および第２雌螺子部７５には、カエシ部７２，７６が形成されている。すなわち、図７に示すように、第１雌螺子部７１および第２雌螺子部７５のカエシ部７２，７６は、ロックスクリュー５０を前進螺子回し（図７における右回し）した場合に、ロックスクリュー５０の通過許可用テーパ面５９ａ，５９ａが当たる部分を、この通過許可用テーパ面５９ａ，５９ａの傾斜面状に対応して面接触するように傾斜面状に形成されている。また、第１雌螺子部７１および第２雌螺子部７５のカエシ部７２，７６は、ロックスクリュー５０を後退螺子回し（図７における左回し）した場合に、ロックスクリュー５０の通過規制用当接面５９ｂ，５９ｂが当たる部分を、この通過規制用当接面５９ｂ，５９ｂの平面状に対応して面接触するように、ロックスクリュー５０の径方向に沿う平面状にて成されている。
つまり、このように爪部５７とカエシ部７２，７６とが構成されたものとなっていると、ロックスクリュー５０を右回しの前進螺子回しして爪部５７をカエシ部７２，７６に当接させた場合には、爪部５７はカエシ部７２，７６に対して弾性的に没するように移動してカエシ部７２，７６を乗り越え、ロックスクリュー５０の前進螺子回しを許可するようになる。これに対して、ロックスクリュー５０を左回しの後退螺子回しして、爪部５７をカエシ部７２，７６に当接させた場合には、爪部５７はカエシ部７２，７６に対して当接したままとなる突出状態を維持し、ロックスクリュー５０の後退螺子回しを規制するようになる。
【００３０】
上記のように構成された遊技機用基板ケース１０によれば、次のような作用効果を奏することができる。
すなわち、この遊技機用基板ケース１０によれば、ケース本体２０に対するカバー体３０の組付け状態を保持するロック機構４０は、ロックスクリュー５０とスクリュー受けボックス６０とを備え、ロックスクリュー５０の少なくとも中間範囲に形成された雄螺子部５３とスクリュー受けボックス６０のボックス内に形成された雌螺子部７０とが、閉塞状態にあるスクリュー受けボックス６０のボックス内にてロックスクリュー５０の後退螺子回しを規制する。これによって、ロックスクリュー５０の弛める方向への螺子回しを不能とするにあたっての構造を、外部に露出していない閉塞されたボックスの内部にて設けたものとすることができ、もって、不正行為を行おうとする者が、弛める方向に螺子回ししようとしても、雄螺子部５３と雌螺子部７０が螺合している部分に手のかけれないものとすることができ、不正行為に対する防犯性をより高めることができる。
【００３１】
ところで、図８は、第１段階の係合状態にあるロックスクリュー５０を示す斜視図である。図９は、第２段階の係合状態にあるロックスクリュー５０を示す斜視図である。図１０は、図９に示す第２段階の係合状態にあるロックスクリュー５０の断面視を示す断面図である。
すなわち、カバー体３０は、ケース本体２０に対して、図示上側から図示下側に向かうように移動して当接させ、図３から図１に変化するように図示後側から図示前側に向かうようにスライド移動させることによって、ケース本体２０に組み付けられたものとすることができる。ここで、係合端部５２が係合する状態（第１段階の係合状態、図６参照）の第１係合フック部３２ａが、図８から図９に変化するようにカバー体３０から切り取られることで、第１係合フック部３２ａに対する係合端部５２の係合は解除される。そうすると、ケース本体２０に対するカバー体３０の組付け状態の保持は解除されて、管理者は、遊技機用基板ケース１０の内部を確認しようと遊技機用基板ケース１０を開けることができる。なお、第１係合フック部３２ａおよび操作保護カバー部２７が、カバー体３０およびケース本体２０から切り取られることで、ロックスクリュー５０は、新たに前進螺子回し可能となる。他方、図９および図１０に示すように、このロックスクリュー５０の新たな前進螺子回しによってロックスクリュー５０が新たに前進螺子回し一杯状態となった場合には、ロックスクリュー５０の係合端部５２は、次の新たな第２係合フック部３２ｂに対して係合する（第２段階の係合状態）。そうすると、ケース本体２０に対するカバー体３０の組付け状態は新たに保持されて、管理者は、内部を確認した後の遊技機用基板ケース１０を再び閉じることができる。もって、この遊技機用基板ケース１０によれば、管理者は、内部を確認するために、２回に亘って簡単に遊技機用基板ケース１０を開け閉めすることができる。
また、この遊技機用基板ケース１０によれば、ケース本体２０、カバー体３０、およびロック機構４０は、合成樹脂にて形成されているので、遊技機用基板ケース１０を廃棄する際には、溶解処理してリサイクルすることができることとなり、リサイクル性の観点から有利なものとなる。
【００３２】
また、この遊技機用基板ケース１０によれば、図７に示すように、ロックスクリュー５０を前進螺子回しさせた場合には、カエシ部７２，７６に当接した爪部５７は、カエシ部７２，７６に対して弾性的に没するように移動してカエシ部７２，７６を乗り越え、ロックスクリュー５０の前進螺子回しを許可することとなる。これに対して、ロックスクリュー５０を後退螺子回しした場合には、カエシ部７２，７６に当接した爪部５７は、カエシ部７２，７６に対して当接したままとなる突出状態を維持し、ロックスクリュー５０の後退螺子回しを規制することとなる。
これによって、ロックスクリュー５０は、先端側に配設された係合端部５２をカバー体３０の係合フック部３２（３２ａ，３２ｂ）に係合させようと前進螺子回しすることはできるが、この係合を解除しようと後退螺子回しすることはできないものとなる。したがって、ロックスクリュー５０は、一度締結させると弛める方向への螺子回しが不能となるので、この遊技機用基板ケース１０を開けるには少なくとも封緘されている個所を破壊することを要することとなる。もって、管理者は、遊技機用基板ケース１０を開けた痕跡から、不正行為があった事を直ぐに判別することができるようになる。
また、この遊技機用基板ケース１０によれば、爪部５７は雄螺子部５３に対して揺動可能に一体化状態で形成されており、カエシ部７２，７６は雌螺子部７１，７５に対して固定された一体化状態で形成されているので、爪部５７は雄螺子部５３の一体成形により製造でき、カエシ部７２，７６は雌螺子部７１，７５の一体成形により製造でき、製造上において有利となる。
【００３３】
また、この遊技機用基板ケース１０によれば、ロック機構４０は１セットだけをケース本体２０の長手方向の側部に沿って設けられているので、上記したロックスクリュー５０およびスクリュー受けボックス６０に関して、前進後退方向の長さを最長化させて設計することができる。これによって、ロックスクリュー５０の少なくとも中間範囲に形成される雄螺子部５３と、スクリュー受けボックス６０のボックス内に形成される雌螺子部７０とを最長化させて設計することができるので、このロック機構４０としての機能を、より効果的に発揮することができる。
この遊技機用基板ケース１０によれば、ロックスクリュー５０を後退螺子回しした場合に、雄螺子部５３と雌螺子部７０（７１，７５）とによるロックスクリュー５０の後退螺子回しの規制を受けて、首部５１ａは雄螺子部５３に対する連結が解除されるように折れることとなっているので、この首部５１ａと一体的に成形される操作部本体５１ｂも雄螺子部５３から外れることとなり、ロックスクリュー５０の後退螺子回ししようとしても後退螺子回しすることができなくなる。これによって、不正行為を行おうとする者が、ロックスクリュー５０を弛める方向に螺子回ししようとしても、操作部５１が外れてしまって螺子回しすることができず、不正行為に対しての防犯性をより高めることができる。
【００３４】
なお、本発明に係る遊技機用基板ケースにあっては、上記した実施の形態に限定されるものではなく、本発明の要旨を変更しない範囲で適宜に変更することができる。
例えば、上記した実施の形態における遊技機用基板ケース１０にあっては、ケース本体２０、カバー体３０、およびロック機構４０は、耐久性や耐衝撃性等に優れた例えばポリカーボネートのみで形成されるものであったが、本発明に係る遊技機用基板ケースは、これに限定されることなく、適宜の合成樹脂が選択されるものであってもよい。
また、上記した実施の形態における遊技機用基板ケース１０における係合フック部３２（３２ａ，３２ｂ）は、ロックスクリュー５０の前進方向に２つ並べられるようにしてカバー体３０に一体的に成形されるようにして設けられるものであった。しかしながら、本発明に係る遊技機用基板ケースの係合フック部は、これに限定されることなく、螺子部材（ロックスクリュー５０）の前進方向に、適宜の数が並べられるようにして設けられるものであってよい。また、係合フック部がカバー体から切り取られる構成としては、上記した工具によるものではなく、例えば手で切り取られるような構成であってもよい。
また、上記した実施の形態における遊技機用基板ケース１０における２つの爪部５７，５７は、ロックスクリュー５０の前進螺子回しとなる右回しに限って揺動可能に弾性変形し易く構成するものであった。しかしながら、本発明に係る遊技機用基板ケースの爪部は、これに限定されることなく、螺子部材を前進螺子回ししてカエシ部に当接させた場合に限ってカエシ部に対して弾性的に没するように移動してカエシ部を乗り越えて螺子部材の前進螺子回しを許可するようになっており、螺子部材を後退螺子回しして爪部をカエシ部に当接させた場合にはカエシ部に対して当接したままとなる突出状態を維持して螺子部材の後退螺子回しを規制するようになっていれば、例えば弾性部材を介して爪部を配設するなどの適宜の態様を採用することができる。
また、上記した実施の形態における遊技機用基板ケース１０における２つの爪部５７，５７は、雄螺子部５３に対して設けられるものであり、カエシ部７２，７６は、雌螺子部７１，７５に対して設けられるものであった。しかしながら、本発明に係る遊技機用基板ケースの爪部およびカエシ部は、これに限定されることなく、例えば、爪部は雌螺子部に対して設けられるものであり、カエシ部は雄螺子部に対して設けられるものであってもよい。
また、上記した実施の形態における遊技機用基板ケース１０におけるロック機構４０は、１セットだけをケース本体２０の長手方向の側部に沿って設けられるものであった。しかしながら、本発明に係る遊技機用基板ケースにおけるロック機構としては、これに限定されることなく、例えば短手方向の側部に沿って１セット設けられるものであってもよく、適宜の側部に沿って設けられるものであってもよい。また、遊技機用基板ケース１０に設けられるロック機構４０は、遊技機用基板ケース１０に対して１セットに限られず、２セットや３セット等の複数セット設けられるものであってもよい。
また、上記した実施の形態における遊技機用基板ケース１０における首部５１ａは、雄螺子部５３や操作部本体５１ｂに比して、回転に抗する応力に対してポキリと折れてしまうような破壊され易いように形成されるものであった。しかしながら、本発明に係る遊技機用基板ケースにおける首部は、これに限定されることなく、例えば雄螺子部に対して「逆螺子構造」によって連結するなど、螺子部材を後退螺子回しした場合に、螺子部材の後退螺子回しの規制を受けて雄螺子部に対する連結が解除されるようになるものであれば、適宜の構成を選択することができる。
また、上記した実施の形態における遊技機用基板ケース１０における操作部本体５１ｂは、首部５１ａの基端側にツマミ形状を有して首部５１ａと一体的に成形されるものであった。しかしながら、本発明に係る遊技機用基板ケースにおける操作部本体としては、これに限定されることなく、例えばプラスドライバやマイナスドライバ等のドライバ工具を用いて操作するように構成されるものであってもよく、適宜の構成を選択することができる。
また、上記した実施の形態における遊技機用基板ケース１０におけるカバー体３０は、図３に示すように図示上側から図示下側に向かうように移動して当接させ、図３から図１に変化するように図示後側から図示前側に向かうようにスライド移動させることによって、ケース本体２０に組み付けられるものであった。しかしながら、カバー体３０のケース本体２０に対する組付けとしては、これに限定されることなく、例えば、上記した実施形態とは異なる方向にスライド移動させて組付けるようなものであってもよい。つまり、嵌合孔２２と、これに対応する嵌合部３１とは、ケース本体２０およびカバー体３０に対して適宜の位置方向を選択して配設可能であり、この嵌合構造（嵌合孔２２と嵌合部３１との嵌め合い構造）にしたがって、カバー体３０はケース本体２０に対して組み付けられるものであってよい。なお、この際の係合フック部を含めたロック機構は、この嵌め合いによって成立するケース本体に対するカバー体の組付け状態を保持するように、遊技機用基板ケースに対して設けられるものとなる。
また、上記した実施の形態における遊技機用基板ケース１０におけるスクリュー受けボックス６０の蓋状部材６５は、図２に示すように、図示上側を開口させたボックス本体６１に対して、図示上側から図示下側に向かって組み付けられるものであった。しかしながら、ケース本体２０に一体成形されたボックス本体６１に対する蓋状部材６５の組付け方向としては、例えば図示前側を開口させたボックス本体６１に対して図示前側から図示後側に向かって組み付けられるものであってもよい。また、スクリュー受けボックス６０のボックス内に形成される雌螺子部としては、これに対応して形成されるものであればよく、上記した例に限定されることなく、適宜ボックス内にて形成されるものであればよい。
【符号の説明】
【００３５】
１０  遊技機用基板ケース
２０  ケース本体
２１  基板収容部
２２  嵌合孔
２５  スクリュー収納部
２６  係合フック収容部
２７  操作保護カバー部
２７ａ，２７ｂ  囲い壁
３０  カバー体
３１  嵌合部
３２ａ（３２）  第１係合フック部
３２ｂ（３２）  第２係合フック部
４０  ロック機構
５０  ロックスクリュー（螺子部材）
５１  操作部
５１ａ  首部
５１ｂ  操作部本体
５２  係合端部
５３  雄螺子部
５５  爪機構
５６  貫通孔
５６ａ  開口部
５６ｂ  内壁面
５７  爪部
５８  係止端部
５９ａ  通過許可用テーパ面
５９ｂ  通過規制用当接面
６０  スクリュー受けボックス（螺子受けボックス）
６１  ボックス本体
６２  開口個所
６３  スクリュー挿通用開口部
６４  掛止雌部
６５  蓋状部材
６６  蓋本体
６７  螺子入れ孔
６８  掛止雄部
７０  雌螺子部
７１  第１雌螺子部
７５  第２雌螺子部
７２，７６  カエシ部
【図１】
0005442371.tif 000002
【図２】
0005442371.tif 000003
【図３】
0005442371.tif 000004
【図４】
0005442371.tif 000005
【図５】
0005442371.tif 000006
【図６】
0005442371.tif 000007
【図７】
0005442371.tif 000008
【図８】
0005442371.tif 000009
【図９】
0005442371.tif 000010
【図１０】
0005442371.tif 000011